(57)【特許請求の範囲】
【請求項１】
数値を入力するための複数の数値キーを含む数値入力画面を表示する表示手段と、
前記表示手段に重畳して配置され、前記数値入力画面上の指定される位置を特定するための入力手段と、
前記入力手段によって前記複数の数値キーのいずれかの上の位置が特定された場合、当該位置を含む数値キーに対応する数値を記憶する記憶手段と、を備える数値入力装置であって、
前記数値入力画面には、前記記憶手段に記憶された数値を消去するためのクリアキーがさらに表示され、
前記クリアキーは、
前記複数の数値キーのいずれとも離隔し、且つ、
前記複数の数値キー全体の幅及び高さを、直交する２辺の長さとする、前記複数の数値キーを囲む矩形領域の外に配置され、
前記複数の数値キーのうち前記クリアキーに最も近接する所定の数値キーと前記クリアキーとは、前記数値入力画面内の上下方向の軸への正射影が重なり、
前記クリアキーの上側に隣接する、前記クリアキーと同じ幅及び前記所定の数値キーと同じ高さの範囲、並びに、前記クリアキーの下側に隣接する、前記クリアキーと同じ幅及び前記所定の数値キーと同じ高さの範囲には、前記複数の数値キーのいずれも配置されていないことを特徴とする数値入力装置。
【請求項２】
前記クリアキーと前記所定の数値キーとの間隔は、前記所定の数値キーに隣接する前記複数の数値キーのうちの数値キーと前記所定の数値キーとの間隔よりも大きいことを特徴とする、請求項１に記載の数値入力装置。
【請求項３】
数値を入力するための複数の数値キーを含む数値入力画面を表示する表示手段と、
前記表示手段に重畳して配置され、前記数値入力画面上の指定される位置を特定するための入力手段と、
前記入力手段によって前記複数の数値キーのいずれかの上の位置が特定された場合、当該位置を含む数値キーに対応する数値を記憶する記憶手段と、を備える数値入力装置であって、
前記数値入力画面には、前記記憶手段に記憶された数値を消去するためのクリアキーがさらに表示され、
前記クリアキーは、
前記複数の数値キーのいずれとも離隔し、且つ、
前記複数の数値キー全体の幅及び高さを、直交する２辺の長さとする、前記複数の数値キーを囲む矩形領域の外に、前記クリアキーの少なくとも一部の領域である所定領域が位置するように配置され、
前記複数の数値キーのうち前記クリアキーに最も近接する所定の数値キーと前記クリアキーとは、前記数値入力画面内の上下方向の軸への正射影及び前記数値入力画面内の左右方向の軸への正射影のうちの一方のみが重なり、
前記クリアキーと前記所定の数値キーとの間隔は、前記所定の数値キーに隣接する前記複数の数値キーのうちの数値キーと前記所定の数値キーとの間隔よりも大きく、又は、前記クリアキーと前記所定の数値キーとの正射影の重なる部分の長さは、前記所定の数値キーの、正射影の前記重なる部分に沿った方向の長さよりも短く、
前記クリアキーの上側に隣接する、前記所定領域と同じ幅及び前記所定の数値キーと同じ高さの範囲には、前記複数の数値キーのいずれも配置されておらず、且つ、
前記クリアキーの左側に隣接する、前記所定領域と同じ高さ及び前記所定の数値キーと同じ幅の範囲、又は、前記クリアキーの右側に隣接する、前記所定領域と同じ高さ及び前記所定の数値キーと同じ幅の範囲には、前記複数の数値キーのいずれも配置されていないことを特徴とする数値入力装置。
【請求項４】
数値を入力するための複数の数値キーを含む数値入力画面を表示する表示手段と、
前記表示手段に重畳して配置され、前記数値入力画面上の指定される位置を特定するための入力手段と、
前記入力手段によって前記複数の数値キーのいずれかの上の位置が特定された場合、当該位置を含む数値キーに対応する数値を記憶する記憶手段と、を備える数値入力装置であって、
前記数値入力画面には、前記記憶手段に記憶された数値を消去するためのクリアキーがさらに表示され、
前記クリアキーは、
前記複数の数値キーのいずれとも離隔し、且つ、
前記複数の数値キー全体の幅及び高さを、直交する２辺の長さとする、前記複数の数値キーを囲む矩形領域の外に、前記クリアキーの一部の領域が位置するように配置され、
前記複数の数値キーのうち前記クリアキーに最も近接する所定の数値キーと前記クリアキーとは、前記数値入力画面内の上下方向の軸への正射影が重なり、且つ、前記数値入力画面内の左右方向の軸への正射影が重なり、
前記クリアキーと前記所定の数値キーとの前記上下方向の軸への正射影の重なる部分の長さは、前記所定の数値キーの前記上下方向の長さよりも短く、
前記クリアキーと前記所定の数値キーとの前記左右方向の軸への正射影の重なる部分の長さは、前記所定の数値キーの前記左右方向の長さよりも短く、
前記一部の領域及び前記所定の数値キーは、高さ及び幅の少なくとも一方が同じであり、
前記クリアキーの上側に隣接する、前記一部の領域と同じ幅及び前記所定の数値キーと同じ高さの範囲には、前記複数の数値キーのいずれも配置されておらず、且つ、
前記クリアキーの左側に隣接する、前記一部の領域と同じ高さ及び前記所定の数値キーと同じ幅の範囲、又は、前記クリアキーの右側に隣接する、前記一部の領域と同じ高さ及び前記所定の数値キーと同じ幅の範囲には、前記複数の数値キーのいずれも配置されていないことを特徴とする数値入力装置。
【請求項５】
前記複数の数値キーは、０〜９の整数値を入力するためのテンキーを構成することを特徴とする請求項１〜４の何れか１項に記載の数値入力装置。
【請求項６】
前記複数の数値キー及び前記クリアキーは、同じ形状及び同じ大きさであり、
前記複数の数値キーは、格子状に配置され、
前記複数の数値キーのうち、上下に隣接する数値キーの間隔は一定であり、
前記複数の数値キーのうち、左右に隣接する数値キーの間隔は一定であることを特徴とする請求項１〜５の何れか１項に記載の数値入力装置。
【請求項７】
前記表示手段は、前記記憶手段に記憶された数値を用いて、所定の装置に所定の処理を開始させるためのキーをさらに表示し、
前記クリアキーは、前記数値キーと前記所定の処理を開始させるための前記キーとの間に位置することを特徴とする請求項１〜６の何れか１項に記載の数値入力装置。
【請求項８】
前記クリアキーの上側及び左側に隣接する、前記数値入力画面上の領域において、複数の数値キーのうちの少なくとも１つの数値キーと同じ大きさの範囲で、いずれのキーも表示されない請求項１〜７の何れか１項に記載の数値入力装置。
【請求項９】
前記表示手段及び入力手段は、タッチパネルディスプレイであることを特徴とする請求項１〜８の何れか１項に記載の数値入力装置。
【請求項１０】
請求項１〜９の何れか１項に記載された数値入力装置を備え、
前記数値入力装置によって入力された数値を用いて画像処理を実行する画像処理装置。
【発明の詳細な説明】
【技術分野】
【０００１】
本発明は、画像処理装置等に装備される操作装置に関し、特に、入力された数値を消去するためのクリアキーに対する誤操作を抑制することができる数値入力装置及びそれを備える画像処理装置に関する。
【背景技術】
【０００２】
画像処理装置の一種として、コピー、プリント、ファクシミリ（以下、ファクスともいう）、及びスキャナ等、複数の機能を備える複合機（ＭＦＰ（ＭｕｌｔｉＦｕｎｃｔｉｏｎ  Ｐｅｒｉｐｈｅｒａｌ））が普及している。ＭＦＰは、スキャナにより読取った原稿のデジタルデータ、通信回線を介して受信したデジタルデータ等に基づき、記録紙上に画像を形成するだけではなく、それらのデジタルデータを画像処理して、ファクス又は電子メールとして送信することができる。ＭＦＰに対する指示は、ＭＦＰに装備された操作部を介して行なわれる。
【０００３】
例えば、原稿をコピーする場合、原稿をＭＦＰにセットし、操作部を操作してコピー条件（コピー部数、白黒コピー、カラーコピー、両面印刷等の条件）を入力した後、コピー実行キー（スタートキー）を押す。コピー部数は、操作部の０〜９の数値キー（以下、テンキーという）を用いて入力する。部数の入力を間違った場合には、クリアキー（以下、Ｃキーともいう）を押して、入力値を全て消去した後、再度入力する。
【０００４】
ファクス送信する場合、送信原稿をＭＦＰにセットし、送信相手先のファクス番号を、上記と同様にテンキーを用いて入力する。間違ったファクス番号を入力した場合には、クリアキーを押して、入力値を全て消去した後、再度入力する。送信相手先のファクス番号の入力が完了した後、送信実行キー（スタートキー）を押す。セットされた原稿が読取られ、画像変換（ファクスデータへの変換）された後、設定された送信相手先への送信が行なわれる。
【０００５】
画像処理装置におけるテンキーに関しては、種々の配置が知られている。例えば、下記特許文献１には、図１に示すテンキーの配置が開示されている。図１は、画像形成装置に装備されたタッチパネルを示している。図１において、タッチパネル１１の右側領域１１ａに、テンキー、小数点キー及びクリアキー（Ｃキー）が配置されている。
【０００６】
下記特許文献２には、図２に示すテンキーの配置が開示されている。図２は、画像処理装置に装備されたタッチパネルの液晶モニタの画面を示している。図１において、右側領域に、テンキー及びクリアキーが配置されている。
【０００７】
下記特許文献３には、図３に示すテンキーの配置が開示されている。図３は、画像入出力システムに装備された操作部（液晶タッチパネル）の画面を示している。図３において、右下領域に、テンキー及びクリアキー（Ｃキー）が配置されている。
【０００８】
下記特許文献４には、図４に示すテンキーの配置が開示されている。図４は、画像形成装置に装備された操作部に含まれるタッチパネル６０１の画面を示している。図４において、左側領域６５０に、テンキー及びクリアキー（Ｃキー）が配置されている。
【０００９】
下記特許文献５には、図５に示すテンキーの配置が開示されている。図５は、情報処理装置に装備されたタッチパネル表示部の画面を示している。図５において、画面の右側領域に、テンキーが配置され、画面の中央にクリアキーが配置されている。
【先行技術文献】
【特許文献】
【００１０】
【特許文献１】特開平１１−２８２３１４号公報
【特許文献２】特開２００５−１７８３５９号公報
【特許文献３】特開２００６−３３４９３１号公報
【特許文献４】特開２０１０−１１１０４４号公報
【特許文献５】特開２０１１−６８０９８号公報
【発明の概要】
【発明が解決しようとする課題】
【００１１】
上記したように、近年では画像処理装置において、操作部としてタッチパネルディスプレイ（タッチパネル及び液晶表示装置）が採用されており、テンキーもタッチパネルにソフトキーとして表示される。そのような数値入力装置においては、タッチパネルディスプレイ上に、テンキー及びＣキーと共に、他のキー及び情報を表示する必要があるので、画面全体としてのバランスを考慮して、テンキー及びＣキーの大きさ及びレイアウトを設計する必要がある。さらに、通常使用されるタッチパネルディスプレイの大きさは、約１０インチまでであるので、テンキー及びＣキーの間隔を狭めて、狭い範囲に配置することも必要である。
【００１２】
例えば図６に示すように、隣接するキーの間隔が小さいキー配置が採用されている。図６のように、間隔が狭い配置では、キー操作を誤る可能性が高い。即ち、意図するキーと異なるキーにタッチしてしまう問題がある。特に、Ｃキーは入力した数値を全てクリアするためのキーであるので、正しい数値が入力されているにも拘わらず、Ｃキーに誤ってタッチしてしまった場合、全ての数値を最初から入力しなければならず、煩雑である。
【００１３】
ユーザがテンキーに正対して、右手でテンキーにタッチする場合、Ｃキーが右手で隠れるので、図６のような配置では、誤ってＣキーにタッチしてしまう可能性が高い。例えば、ユーザが「２」のキーにタッチしたいときに、ユーザの指が「２」のキーの下部（斜線部分）に向かって移動した場合、「２」のキーに隣接するＣキーにタッチしてしまう可能性が高い。同様に、ユーザが「０」のキーにタッチしようとしたときにも、ユーザの指が「０」のキーの右側部（斜線部分）に向かって移動した場合、「０」のキーに隣接するＣキーにタッチしてしまう可能性が高い。
【００１４】
これは、図１〜図４及び図６に示したような、テンキーの近傍にＣキーを配置する場合に生じる問題である。なお、図５のように、Ｃキーをテンキーから離隔して配置する場合には、このような問題は生じ難いが、テンキー、Ｃキー及び実行キー（スタートキー）の意匠性、及び片手での操作性を損なう問題がある。即ち、関連する機能のキー（テンキー及びＣキー）がまとまった配置になっていない。また、ユーザが片手（例えば右手）で、テンキーを押して数値を入力し、間違って入力した場合にはＣキーを押し、入力が完了すれば実行キーを押すという、一連の操作をスムーズに実行できない。
【００１５】
したがって、本発明は、キー配置の意匠性及びキーの操作性を損なうことなく、テンキー及びクリアキーを狭い範囲に配置することができ、テンキーによる数値入力中にクリアキーを誤って押してしまう可能性を低減することができる数値入力装置及びそれを備える画像処理装置を提供することを目的とする。
【課題を解決するための手段】
【００１６】
上記の目的は、下記によって達成することができる。
【００１７】
即ち、本発明の第１の局面に係る数値入力装置は、数値を入力するための複数の数値キーを含む数値入力画面を表示する表示部と、表示部に重畳して配置され、数値入力画面上の指定される位置を特定するための入力部と、入力部によって複数の数値キーのいずれかの上の位置が特定された場合、当該位置を含む数値キーに対応する数値を記憶する記憶部と、を備える。数値入力画面には、記憶部に記憶された数値を消去するためのクリアキーがさらに表示される。クリアキーは、複数の数値キーのうちのクリアキーに最も近接する所定の数値キーの斜め方向に配置され、且つ、複数の数値キー全体の幅の範囲内、及び、複数の数値キー全体の高さの範囲内のいずれか一方に配置されている。クリアキー及び所定の数値キーは、高さ及び幅の少なくとも一方が同じである。クリアキーの上側に隣接する、クリアキーと同じ幅及び所定の数値キーと同じ高さの範囲には、複数の数値キーのいずれも配置されておらず、且つ、クリアキーの左側に隣接する、クリアキーと同じ高さ及び所定の数値キーと同じ幅の範囲、又は、クリアキーの右側に隣接する、クリアキーと同じ高さ及び所定の数値キーと同じ幅の範囲には、複数の数値キーのいずれも配置されていない。
【００１８】
本発明の第２の局面に係る数値入力装置は、数値を入力するための複数の数値キーを含む数値入力画面を表示する表示部と、表示部に重畳して配置され、数値入力画面上の指定される位置を特定するための入力部と、入力部によって複数の数値キーのいずれかの上の位置が特定された場合、当該位置を含む数値キーに対応する数値を記憶する記憶部と、を備える。数値入力画面には、記憶部に記憶された数値を消去するためのクリアキーがさらに表示される。クリアキーは、複数の数値キーのいずれとも離隔し、且つ、複数の数値キー全体の幅及び高さを、直交する２辺の長さとする、複数の数値キーを囲む矩形領域の外に配置される。複数の数値キーのうちクリアキーに最も近接する所定の数値キーとクリアキーとは、数値入力画面内の上下方向の正射影が重なる。クリアキーの上側に隣接する、クリアキーと同じ幅及び所定の数値キーと同じ高さの範囲、並びに、クリアキーの下側に隣接する、クリアキーと同じ幅及び所定の数値キーと同じ高さの範囲には、複数の数値キーのいずれも配置されていない。
【００１９】
好ましくは、クリアキーと所定の数値キーとの間隔は、所定の数値キーに隣接する複数の数値キーのうちの数値キーと所定の数値キーとの間隔よりも大きい。
【００２０】
本発明の第３の局面に係る数値入力装置は、数値を入力するための複数の数値キーを含む数値入力画面を表示する表示部と、表示部に重畳して配置され、数値入力画面上の指定される位置を特定するための入力部と、入力部によって複数の数値キーのいずれかの上の位置が特定された場合、当該位置を含む数値キーに対応する数値を記憶する記憶部と、を備える。数値入力画面には、記憶部に記憶された数値を消去するためのクリアキーがさらに表示される。クリアキーは、複数の数値キーのいずれとも離隔し、且つ、複数の数値キー全体の幅及び高さを、直交する２辺の長さとする、複数の数値キーを囲む矩形領域の外に、クリアキーの少なくとも一部の領域である所定領域が位置するように配置される。複数の数値キーのうちクリアキーに最も近接する所定の数値キーとクリアキーとは、数値入力画面内の上下方向の正射影及び数値入力画面内の左右方向の正射影のうちの一方のみが重なる。クリアキーと所定の数値キーとの間隔は、所定の数値キーに隣接する複数の数値キーのうちの数値キーと所定の数値キーとの間隔よりも大きい、又は、クリアキーと所定の数値キーとの正射影の重なる部分の長さは、所定の数値キーの、正射影の重なる部分に沿った方向の長さよりも短い。クリアキーの上側に隣接する、所定領域と同じ幅及び所定の数値キーと同じ高さの範囲には、複数の数値キーのいずれも配置されておらず、且つ、クリアキーの左側に隣接する、所定領域と同じ高さ及び所定の数値キーと同じ幅の範囲、又は、クリアキーの右側に隣接する、所定領域と同じ高さ及び所定の数値キーと同じ幅の範囲には、複数の数値キーのいずれも配置されていない。
【００２１】
本発明の第４の局面に係る数値入力装置は、数値を入力するための複数の数値キーを含む数値入力画面を表示する表示部と、表示部に重畳して配置され、数値入力画面上の指定される位置を特定するための入力部と、入力部によって複数の数値キーのいずれかの上の位置が特定された場合、当該位置を含む数値キーに対応する数値を記憶する記憶部と、を備える。クリアキーは、複数の数値キーのいずれとも離隔し、且つ、複数の数値キー全体の幅及び高さを、直交する２辺の長さとする、複数の数値キーを囲む矩形領域の外に、クリアキーの一部の領域が位置するように配置される。複数の数値キーのうちクリアキーに最も近接する所定の数値キーとクリアキーとは、数値入力画面内の上下方向の正射影が重なり、且つ、数値入力画面内の左右方向の正射影が重なる。クリアキーと所定の数値キーとの上下方向の正射影の重なる部分の長さは、所定の数値キーの上下方向の長さよりも短い。クリアキーと所定の数値キーとの左右方向の正射影の重なる部分の長さは、所定の数値キーの左右方向の長さよりも短い。一部の領域及び所定の数値キーは、高さ及び幅の少なくとも一方が同じである。クリアキーの上側に隣接する、一部の領域と同じ幅及び所定の数値キーと同じ高さの範囲には、複数の数値キーのいずれも配置されておらず、且つ、クリアキーの左側に隣接する、一部の領域と同じ高さ及び所定の数値キーと同じ幅の範囲、又は、クリアキーの右側に隣接する、一部の領域と同じ高さ及び所定の数値キーと同じ幅の範囲には、複数の数値キーのいずれも配置されていない。
【００２２】
好ましくは、複数の数値キーは、０〜９の整数値を入力するためのテンキーを構成する。
【００２３】
より好ましくは、複数の数値キー及びクリアキーは、同じ形状及び同じ大きさであり、複数の数値キーは、格子状に配置され、複数の数値キーのうち、上下に隣接する数値キーの間隔は一定であり、複数の数値キーのうち、左右に隣接する数値キーの間隔は一定である。
【００２４】
さらに好ましくは、表示部は、記憶部に記憶された数値を用いて、所定の装置に所定の処理を開始させるためのキーをさらに表示し、クリアキーは、数値キーと所定の処理を開始させるためのキーとの間に位置する。
【００２５】
好ましくは、クリアキーの上側及び左側に隣接する、数値入力画面上の領域において、複数の数値キーのうちの少なくとも１つの数値キーと同じ大きさの範囲で、いずれのキーも表示されない。
【００２６】
より好ましくは、表示部及び入力部は、タッチパネルディスプレイである。
【００２７】
本発明の第５の局面に係る画像処理装置は、上記の数値入力装置を備え、数値入力装置によって入力された数値を用いて画像処理を実行する。
【発明の効果】
【００２８】
本発明によれば、キー配置の意匠性及びキーの操作性を損なうことなく、テンキー及びクリアキーを狭い範囲に配置したまま、ユーザがテンキーによる数値入力中にクリアキーを誤って押してしまう可能性を低減することができる。したがって、ユーザは、安心して、速やかに数値を入力することができる。
【００２９】
また、クリアキーを、テンキーと、画像処理装置等に所定の処理を開始させるためのキーとの間に配置することにより、ユーザは数値入力を間違ったときに、入力値を容易にクリアすることができ、数値入力から処理の実行を開始させるまでの一連の操作をスムーズに行なうことができる。
【図面の簡単な説明】
【００３０】
【図１】従来の操作画面を示す図である。
【図２】従来の操作画面を示す図である。
【図３】従来の操作画面を示す図である。
【図４】従来の操作画面を示す図である。
【図５】従来の操作画面を示す図である。
【図６】従来の操作画面に表示されるテンキー及びクリアキーの配置を示す図である。
【図７】本発明の実施の形態に係る画像処理装置を示す斜視図である。
【図８】図１に示した画像処理装置の構成を示すブロック図である。
【図９】各動作モードの基本画面の基本レイアウト構成を示す図である。
【図１０】操作部に表示されるコピーモードの基本画面を示す図である。
【図１１】本発明の実施の形態に係る画像処理装置において実行されるプログラムの制御構造を示すフローチャートである。
【図１２】図１０の数値入力領域を示す図である。
【図１３】図１２とＣキーの配置が異なる数値入力領域を示す図である。
【図１４】図１２〜図１３とＣキーの配置が異なる数値入力領域を示す図である。
【図１５】図１２とＣキーの大きさ及び配置が異なる数値入力領域を示す図である。
【図１６】図１５とＣキーの配置が異なる数値入力領域を示す図である。
【図１７】図１２とＣキーの大きさ及び配置が異なる数値入力領域を示す図である。
【図１８】図１７とＣキーの配置が異なる数値入力領域を示す図である。
【図１９】図１７及び図１８とＣキーの配置が異なる数値入力領域を示す図である。
【図２０】図１７〜図１９とＣキーの配置が異なる数値入力領域を示す図である。
【図２１】図１２とＣキーの形状が異なる数値入力領域を示す図である。
【図２２】図１２〜図２１と異なるテンキー領域を示す図である。
【図２３】図１０の画面レイアウトが左右対称に配置されて表示される場合に表示される数値入力領域の例を示す図である。
【発明を実施するための形態】
【００３１】
以下の実施の形態では、同一の部品には同一の参照番号を付してある。それらの名称及び機能も同一である。したがって、それらについての詳細な説明は繰返さない。
【００３２】
本発明の実施の形態に係る画像処理装置は、スキャナ機能、ファクス機能、電子メール機能、コピー機能、及びプリンタ機能等の複数の機能を備えたデジタル複合機である。
【００３３】
図７を参照して、画像処理装置１００は、原稿読取部１１０、画像形成部１２０、操作部１３０、給紙部１４０、手差し給紙トレイ１４２、及び排紙処理部１５０を備えている。操作部１３０は、タッチパネルディスプレイ１３２及び操作キー部１３４を備えている。タッチパネルディスプレイ１３２は、例えば、液晶パネル等で構成された表示パネルと、表示パネルの上に配置され、タッチされた位置を検出するタッチパネルとを含む。画像処理装置１００に対する操作は、主としてタッチパネルディスプレイ１３２を介して行なわれる。操作キー部１３４には、ハードキーとして少数の機能キー（例えば、画像処理装置１００の電源をオン／オフするための電源ＯＮ／ＯＦＦキー）が配置される。
【００３４】
図８を参照して、画像処理装置１００は、画像処理装置１００全体を制御する制御部（以下、ＣＰＵという）１０２と、プログラム等を記憶するためのＲＯＭ（Ｒｅａｄ  Ｏｎｌｙ  Ｍｅｍｏｒｙ）１０４と、揮発性の記憶装置であるＲＡＭ（Ｒａｎｄｏｍ  Ａｃｃｅｓｓ  Ｍｅｍｏｒｙ）１０６と、通電が遮断された場合にもデータを保持する不揮発性記憶装置であるＨＤＤ（Ｈａｒｄ  Ｄｉｓｋ  Ｄｒｉｖｅ）１０８とを備えている。ＲＯＭ１０４には、画像処理装置１００の動作を制御するのに必要なプログラム及びデータが記憶されている。
【００３５】
画像処理装置１００はさらに、画像処理部１２２、画面生成部１２４、ファクス通信部１１２、ネットワークＩ／Ｆ１１４、及びバス１１６を備えている。ＣＰＵ１０２、ＲＯＭ１０４、ＲＡＭ１０６、ＨＤＤ１０８、ファクス通信部１１２、ネットワークＩ／Ｆ１１４、原稿読取部１１０、画像形成部１２０、画像処理部１２２、画面生成部１２４、操作部１３０は、バス１１６に接続されている。各部間のデータ（制御情報を含む）交換は、バス１１６を介して行なわれる。ＣＰＵ１０２は、バス１１６を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像処理装置１００を構成する各部の制御を行ない、画像処理装置１００の各機能を実現する。
【００３６】
ファクス通信部１１２は、ファクスモデムを備え、外部の公衆電話回線１８０に接続される。ファクスモデムは、画像処理装置１００が公衆電話回線１８０を介して外部装置とファクス通信するためのインターフェイスである。
【００３７】
ネットワークＩ／Ｆ１１４は、外部のネットワーク１８２に接続され、画像処理装置１００がネットワーク１８２を介して外部装置と通信するためのインターフェイスとして、例えばＮＩＣ（Ｎｅｔｗｏｒｋ  Ｉｎｔｅｒｆａｃｅ  Ｃａｒｄ）を備えている。
【００３８】
画像処理装置１００が備える画像通信モードとしては、ファクスモデムにより公衆電話回線を介して画像データを送受信するファクスモード、ＮＩＣによりインターネットを介して画像データを送受信するインターネットファクスモード、画像データを電子メールに添付して送受信する電子メール通信モード（スキャンｔｏメール）、及びネットワークを介して画像データをＰＣの特定のフォルダに転送する画像送信モード（スキャンｔｏフォルダ）等がある。
【００３９】
原稿読取部１１０は、画像を読取るためのＣＣＤ（Ｃｈａｒｇｅ  Ｃｏｕｐｌｅｄ  Ｄｅｖｉｃｅ：電荷結合素子）と、原稿台、自動原稿送り装置（ＡＤＦ）等にセットされた原稿を検知する原稿検知センサとを備え、原稿を読取って画像データを入力する。画像データは画像メモリ（図示せず）に一時的に記憶される。画像処理部１２２は、読取った画像データに対して、種々の画像処理を実行する。画像形成部１２０は、画像データを記録紙に印刷する。画像データは、必要に応じてＨＤＤ１０８に記憶される。
【００４０】
給紙部１４０は画像形成用の記録紙を保持する。手差し給紙トレイ１４２は、記録紙を手差し給紙するためのトレイである。
【００４１】
操作部１３０は、ユーザによる画像処理装置１００に対する指示等の入力を受付ける。タッチパネルディスプレイ１３２に表示される画像は、画面生成部１２４によって生成される。ユーザは、タッチパネルディスプレイ１３２に表示される画面によって、画像処理装置１００の状態及びジョブの処理状況等の確認を行なう。タッチパネルディスプレイ１３２に表示されたキーを、表示パネルに重ねられたタッチパネル上で選択する（タッチパネル上の該当部分にタッチする）ことによって、画像処理装置１００の機能設定及び動作指示等ができる。０〜９の数値を入力するための１０個のキー（以下、数値キーという）も、タッチパネルディスプレイ１３２上に表示される。
【００４２】
ＣＰＵ１０２は、操作部１３０（タッチパネルディスプレイ１３２及び操作キー部のキー）に対するユーザの操作を監視すると共に、タッチパネルディスプレイ１３２に画像処理装置１００の状態に関する情報等のユーザに通知すべき情報を表示する。
【００４３】
以下、画像処理装置１００が搭載している機能（コピー機能、プリンタ機能、スキャナ機能、及びファクス機能）を実行する各モードについて簡単に説明する。
【００４４】
（コピーモード）
画像処理装置１００を複写機として利用する場合には、原稿読取部１１０によって読取られた原稿の画像データ（以下、原稿データともいう）が、画像形成部１２０から複写物として出力される。
【００４５】
原稿読取部１１０に装備されたＣＣＤにより、読取位置にセットされた原稿の画像を電子的に読取ることができる。読取られた画像データは、画像メモリ上に出力データ（印刷用データ）として完成された後、ＨＤＤ１０８に記憶される。原稿が複数ある場合には、この読取り動作及び記憶動作が繰返される。その後、操作部１３０から指示された処理モードに基づいて、ＨＤＤ１０８に記憶された画像データが適切なタイミングで順次読出されて画像メモリに送られる。そして、画像形成部１２０での画像形成のタイミングに合わせて、画像データは画像形成部１２０へと伝送される。
【００４６】
読取った画像データを複数枚印刷する場合にも、同様に出力データとしてページ単位でＨＤＤ１０８に記憶され、ＨＤＤ１０８から画像メモリに送られ、出力枚数の分だけ繰返し、画像形成のタイミングに合わせて画像形成部１２０へ伝送される。
【００４７】
給紙部１４０では、記録紙がピックアップローラによって引き出され、複数の搬送用ローラによって、画像形成部１２０まで搬送される。画像形成部１２０では、帯電された感光体ドラムを入力された画像データに応じて露光することにより、感光体ドラムの表面に、画像データに応じた静電潜像を形成する。感光体ドラム上の静電潜像部分にトナーを付着させた後、トナーによる画像を、転写ベルトを介して、搬送された記録紙に転写される。その後、記録紙は加熱及び加圧され（これにより記録紙に画像が定着する）、排紙トレイ１５２に排出される。
【００４８】
（ファクスモード）
画像処理装置１００は、ファクス通信部１１２及び公衆電話回線１８０を介して外部のファクス装置とファクス送受信することができる。
【００４９】
画像処理装置１００をファクス装置として使用する場合、画像処理装置１００は、ＨＤＤ１０８から画像データを読出して、ファクス通信用のデータ形式に変換して、ファクス通信部１１２及び公衆電話回線１８０を介して外部のファクス装置に送信することができる。また、ファクス装置からファクス受信したデータを、画像データとして画像メモリ上に形成し、上記と同様に、ＨＤＤ１０８への記憶、画像形成部１２０による印刷を実行することができる。
【００５０】
ファクス送信を実行する場合、ユーザはタッチパネルディスプレイ１３２に表示された画面及び操作キー部１３４を操作して、ファクス送信の条件を設定した後、ファクス送信の実行を指示するキーを押す。ファクス送信の条件には、相手先のファクス番号、原稿のサイズ、送信画像の濃度、送信画像の画質等がある。同じ原稿を複数の送信先にまとめて送信する同報送信する場合には、送信先毎のファクス番号、送信先毎の送信条件を設定する。
【００５１】
（プリンタモード）
画像処理装置１００をプリンタとして利用する場合には、通信部１１２を介して受信した画像データが画像メモリ等を介して画像形成部１２０から出力される。
【００５２】
通信部１１２は、ネットワーク１８２に接続されたＰＣ等の端末装置（図示せず）から画像データを受信する。受信された画像データは、出力画像データとしてページ単位に画像メモリに送られた後、ＨＤＤ１０８に記憶される。その後、画像データは、再びＨＤＤ１０８から画像メモリに送られ、上記したコピーモードと同様に画像形成部１２０へと伝送され、画像形成が行なわれる。
【００５３】
（スキャナモード）
画像処理装置１００を、例えばネットワークスキャナとして利用する場合には、原稿読取部１１０において読取られた原稿データを、通信部１１２からネットワーク１８２を介してコンピュータ等の端末装置へ送信する。この場合にも、原稿読取部１１０に装備されたＣＣＤにより原稿を電子的に読取る。そして、読取られた原稿データは、画像メモリ上に出力データとして完成された後、ＨＤＤ１０８に記憶される。その後、画像データは、再びＨＤＤ１０８から画像メモリに送られ、操作部１３０を介して指定された送信先との通信を確立した上で、通信部１１２から、指示された送信先へと送信される。
【００５４】
このように、画像処理装置１００は複数の動作モードを備えており、タッチパネルディスプレイ１３２には、選択された動作モードに応じて異なる画面が表示される。各画面は複数の領域に分割されて、各領域に情報が表示される。異なる画面においてもユーザが要求する情報を容易に見つけることができるように、タッチパネルディスプレイ１３２に表示される画面は、以下に説明するように統一的に構成される。
【００５５】
図９を参照して、操作部１３０に表示される各種動作モードの基本画面は、システム領域２００、機能設定／確認領域（以下、機能選択領域という）２１０、プレビュー領域２４０、アクションパネル領域２６０、及び、タスクトリガー領域２８０を含む５つの領域から構成される。これら５つの領域は、基本レイアウトにしたがって配置される。即ち、システム領域２００は基本画面の最上部に配置される。プレビュー領域２４０は基本画面の中央部に配置される。機能選択領域２１０は、基本画面においてプレビュー領域２４０に対して左側に配置される。アクションパネル領域２６０は、基本画面においてプレビュー領域２４０に対して右側上部に配置される。タスクトリガー領域２８０は、基本画面においてプレビュー領域２４０に対して右側下部に配置される。上記した各種動作モードの基本画面を構成する５つの領域及び基本レイアウトは、全ての動作モードにおいて共通する。
【００５６】
このような基本レイアウトによって、ユーザが画像処理装置１００を使用する場合、ユーザは、タッチパネルディスプレイ１３２に表示された画面の左上から右下へ操作することになる。したがって、タッチパネルディスプレイ１３２を備えない従来機と同様に、ユーザの視点の動線及び指先の動線が実現されるので、ユーザは容易に画像処理装置１００の設定を行なうことができる。また、異なる動作モード（異なる基本画面）であっても、対応する領域に表示される情報は類似するので、動作モードが異なっていても、ユーザは混乱することなく、画像処理装置１００に対する機能設定及び数値入力が可能である。
【００５７】
図１０を参照して、画像処理装置１００の操作部１３０に表示される基本画面の一例として、コピーモードの基本画面について説明する。コピーモードの基本画面３００のシステム領域２００には、コピーモードであることを示す文字「コピー」と、ジョブ状況が表示される。
【００５８】
コピーモードの基本画面３００の機能選択領域２１０には、コピーモードに関する各種機能及びパラメータ等の条件の設定変更を行なうための設定キーが表示される。図１０では、設定キー２１２〜２２４が表示されている。設定キー２１２は、原稿データをカラー及びモノクロの何れで表示するかを設定するためのキーである。設定キー２１４は、原稿サイズを変更するためのキーである。設定キー２１６は、原稿データの濃度を調整するためのキーである。設定キー２１８は、原稿データの倍率を設定するためのキーである。設定キー２２０は、印刷用紙のサイズ及び種類を設定するためのキーである。設定キー２２２は、印刷用紙に対する印刷面を設定するためのキーである。設定キー２２４は、印刷結果のソート又はグループ化に関する設定を行なうためのキーである。ユーザによって設定キー２１２〜２２４の何れかがタッチされた場合、タッチパネルディスプレイ１３２に、タッチされたキーに対応する設定画面（例えば、濃度設定画面、画質設定画面、及び原稿設定画面等）が表示される。機能選択領域２１０において、設定キー２１２〜２２４の下方には、設定キー２１２〜２２４の表示スタイルを変更するためのキー２２６及び２２８と、他の機能キー２３０と、が表示される。キー２２６は、予め「お気に入り」登録された機能に関する設定キーのみを表示させるためのキーである。キー２２８は、設定変更された機能に関する設定キーのみを表示させるためのキーである。他の機能キー２３０は、機能選択領域２１０に表示されている機能とは異なる他の特別機能の表示を要求するためのキーである。
【００５９】
機能選択領域２１０において、表示対象の全ての設定キーを表示しきれない場合には、各種設定キーは上下方向にスクロール可能に表示される。但し、キー２２６〜２３０の表示位置は固定されたままである。ユーザは、タッチ操作（スクロール操作）又はジェスチャー操作（上下方向のフリック操作）によって、各種設定キーの表示部分を上下方向に切替えることができる。
【００６０】
コピーモードの基本画面３００のプレビュー領域２４０には、コピー部数を設定するための数値入力領域２４２が表示される。数値入力領域２４２は、キー領域２４４及び部数表示領域２４６から構成される。キー領域２４４は、０〜９の数値キー（テンキー）及びクリアキー（Ｃキー）２５０を含む。テンキーが表示された領域をテンキー領域２４８という。部数表示領域２４６は、ユーザによって入力されたコピー部数を表示するための領域である。
【００６１】
コピーモードの基本画面３００のアクションパネル領域２６０には、コピーモードにおけるおすすめ機能を実行するための実行キーが表示される。図１０では、実行キー２６２〜２７０が表示されている。実行キー２６２は、コピーと同時にスキャンした画像データをファクス送信するためのキーである。実行キー２６４は、所定のコピー機能が登録されたプログラムを呼出すためのキーである。実行キー２６６は、スキャンした画像データを自動的に一時記憶するためのキーである。実行キー２６８は、情報を付加してスキャンした画像データをフィルダに保存するためのキーである。実行キー２７０は、電力消費を低減するエコプログラムを呼出すためのキーである。
【００６２】
コピーモードの基本画面３００のタスクトリガー領域２８０には、プレビューキー２８２、クリアオールキー（ＣＡキー）２８４、カラースタートキー２８６、及び、白黒スタートキー２８８が表示される。プレビューキー２８２は、スキャンイン処理の実行を開始するためのキーである。プレビューキー２８２がタッチされた場合、原稿をスキャンし、スキャンデータに基づくプレビュー画像をプレビュー領域２４０に表示する。ＣＡキー２８４は、設定変更された機能及びパラメータ等を全てキャンセルし、設定をデフォルト状態へ戻すためのキーである。カラースタートキー２８６は、カラー印刷を開始するためのキーである。白黒スタートキー２８８は、白黒印刷を開始するためのキーである。
【００６３】
図１１を参照して、画像処理装置１００において実行されるプログラムの制御構造について説明する。画像処理装置１００の電源がオンされた場合、ＣＰＵ１０２は、このプログラムをＲＯＭ１０４から読出して実行する。操作キー部１３４の電源ＯＮ／ＯＦＦキーが押された場合、画像処理装置１００への電力供給が開始される（電源オン）。
【００６４】
画像処理装置１００の電源がオンされた場合、所定のウォームアップ動作の後、ステップ４００においてＣＰＵ１０２は、画面生成部１２４を制御して、ホーム画面を生成し、操作部１３０のタッチパネルディスプレイ１３２に表示させる。その状態で、ＣＰＵ１０２は、タッチパネルディスプレイ１３２に対するユーザの操作を待受ける。ホーム画面には、画像処理装置１００の各動作モードを選択するためのモード選択キーが表示される。
【００６５】
ステップ４０２において、ＣＰＵ１０２は、ホーム画面上のモード選択キーがタッチされたか否かを判定する。何れかのモード選択キーがタッチされたか否かは、タッチパネルからＣＰＵ１０２に送信されるタッチ位置の座標データによって判定される。ＣＰＵ１０２は、受信した座標データから、表示されている画面上の位置を特定し、特定された位置が、モード選択キーが表示された範囲内にあるか否かを判定する。特定された位置が、モード選択キーが表示された範囲内にあると判定された場合、ＣＰＵ１０２はモード選択キーがタッチされたと判定し、制御はステップ４０６に移行する。このとき、ＣＰＵ１０２は、タッチされたモード選択キーに対応する動作モードを決定し、動作モードを特定する情報をＲＡＭ１０６に記憶する。タッチされていないと判定された場合、制御はステップ４０４に移行する。
【００６６】
ステップ４０４において、ＣＰＵ１０２は、操作キー部１３４の電源ＯＮ／ＯＦＦキーが押されたか否かを判定する。押されたと判定された場合、ＣＰＵ１０２は、本プログラムを終了する。押されていないと判定された場合、制御はステップ４０２に戻る。
【００６７】
ステップ４０６において、ＣＰＵ１０２は、ＲＡＭ１０６を参照して、動作モードを特定する情報に対応する動作モード（ステップ４０２でタッチされたモード選択キーに対応する動作モード）の基本画面を、タッチパネルディスプレイ１３２に表示する。例えば、ステップ４０２においてコピーが選択された場合、図１０に示す画面が表示される。画面が表示された状態で、ＣＰＵ１０２は、タッチパネルディスプレイ１３２に対するユーザの操作を待受ける。
【００６８】
ステップ４０８において、ＣＰＵ１０２は、タッチパネルディスプレイ１３２に表示された画面上のキーがタッチされたか否かを判定する。画面上の何れかのキーがタッチされたと判定された場合、制御はステップ４１２に移行する。そうでなければ、制御はステップ４１０に移行する。
【００６９】
ステップ４１０において、ＣＰＵ１０２は、操作キー部１３４の電源ＯＮ／ＯＦＦキーが押されたか否かを判定する。押されたと判定された場合、ＣＰＵ１０２は、本プログラムを終了する。押されていないと判定された場合、制御はステップ４０８に戻る。
【００７０】
ステップ４１２において、ＣＰＵ１０２は、ステップ４０８でタッチされたキーに応じた処理を実行する。その後、制御はステップ４０８に戻る。ステップ４０８〜４１２が繰返されることによって、画像処理装置１００の各動作モードに関する条件を設定する処理が実行され、設定された条件にしたがって最終の処理が実行される。例えば、コピーモードにおいては、図１０のコピー基本画面上のキーをユーザがタッチした場合、タッチされたキーに応じて、上記した設定処理が実行される。即ち、機能選択領域２１０及び数値入力領域２４２のキーがタッチされてコピー条件が設定された後、タスクトリガー領域２８０のキーがタッチされるとコピー処理が実行される。
【００７１】
以上によって、画像処理装置１００は、操作部１３０に対するユーザの操作を受けて、指定された動作モードでの処理を実行することができる。
【００７２】
以下、数値入力領域２４２に対するユーザの操作に関してより詳細に説明する。ユーザが原稿をコピーする場合、コピーモードの基本画面３００において、ユーザは必要に応じて機能選択領域２１０の設定キー２１２〜２２４をタッチして、コピー条件の設定を行なう。コピー部数は、数値入力領域２４２のテンキーを用いて入力される。図１０に示した数値入力領域２４２においては、Ｃキー２５０がテンキー領域２４８の外に配置されているので、ユーザがテンキーをタッチして部数を入力するときに、間違ってＣキー２５０にタッチしてしまう可能性は非常に低い。図１２を参照して、この点について具体的に説明する。
【００７３】
図１２に示す数値入力領域２４２において、数値キーは全て同じ形状及び大きさ（横方向の長さｗ、縦方向の長さｈ）であり、格子状に配置されている。即ち、９個の数値キー（「１」〜「９」のキー）は、左右方向に所定の間隔（左右間隔）ｐ１で等間隔に配置され、且つ、上下方向に所定の間隔（上下間隔）ｐ２で等間隔に配置されている。上下間隔ｐ２は、左右間隔ｐ１よりも狭い（ｐ２＜ｐ１）。テンキーの残りの１個の数値キー（「０」のキー）は左端の列の最下段に、上下間隔ｐ２で「７」のキーから離隔されて配置されている。
【００７４】
Ｃキー２５０は、数値キーと同じ形状及び大きさである。Ｃキー２５０は、テンキー領域２４８に隣接して、テンキー領域２４８の外に配置されている。Ｃキー２５０の上側及び左側には、キーが隣接していない。即ち、Ｃキー２５０の上側及び左側において、数値キーの大きさ以上の範囲（領域２５２、２５４で示す）でキーが配置されていない。また、Ｃキー２５０は「９」のキーに最も近接し、「９」のキーの右斜め下に配置されている。このように、Ｃキー２５０がテンキーに対して配置されているので、ユーザがテンキーを操作しているときに間違ってＣキー２５０を押してしまう可能性は非常に低くなる。即ち、Ｃキー２５０の上側領域２５２及び左側領域２５４にキーが配置されていないので、ユーザがテンキーの操作中にＣキー２５０の上側領域２５２又は左側領域２５４をタッチする可能性は非常に低く、そのため間違ってＣキー２５０を押してしまう可能性も非常に低い。また、Ｃキー２５０は「９」キーの右斜め下に位置するので、ユーザが「９」のキーを押そうとしてＣキー２５０を押してしまう可能性も非常に低くなる。したがって、ユーザは、安心して、速やかにコピー部数を入力することができる。また、Ｃキー２５０はテンキーに近接して配置されているので、数値の入力を間違った場合には、入力値を容易にクリアすることができる。
【００７５】
コピー部数の入力を含めてコピー条件の設定が完了した後、ユーザは、図１０の画面３００の右下領域に配置されたタスクトリガー領域２８０にあるカラースタートキー２８６又は白黒スタートキー２８８にタッチする。これによって、上記したように、画像処理装置１００は原稿のコピー処理を開始する。
【００７６】
図１０に示したように、テンキー領域２４８、Ｃキー２５０及びタスクトリガー領域２８０が、左上から右下に斜めに配置されているので、ユーザは右手を使って、左上から右下方向に向かった自然な操作でコピー操作を行なうことができる。
【００７７】
以上、テンキー操作時に間違ってＣキーにタッチしてしまう可能性を低減するための、Ｃキー及びテンキーの配置例を説明したが、キー配置はこれに限定されない。Ｃキーが数値キーと同じ形状及び大きさである場合には、図１３又は図１４に示したような配置であってもよい。
【００７８】
図１３及び図１４において、Ｃキーはテンキー領域２４８の右側に配置されている。図１３では、Ｃキーは、最も近接する数値キー（「９」のキー）に対して、左右方向に関してテンキーの左右間隔ｐ１よりも大きい間隔（ｄ１＞ｐ１）で右側に、上下方向に関して同じ位置に配置されている。したがって、ユーザが「９」のキーにタッチするときに間違ってＣキーにタッチしてしまう可能性が低減される。Ｃキーの上下にはキーが配置されていないので、このことによっても、Ｃキーに間違ってタッチしてしまう可能性が低減される。
【００７９】
図１４では、Ｃキーは、最も近接する２つの数値キー（「６」のキー及び「９」のキー）に対して、テンキーの左右間隔と同じ間隔ｐ１で右側に配置されているが、上下方向に関してずれた位置（キーの中心が、隣接する２つの数値キーの何れとも上下にずれた位置）に配置されている。このように、Ｃキーはテンキーと左右間隔ｐ１で配置されているが、Ｃキーが最も近接する数値キー（「６」のキー及び「９」のキー）の各々と、上下方向に重なる長さは、数値キーの上下方向の長さｈ未満である。例えば、「６」のキーとＣキーとが縦方向に重なる長さｄ２はｄ２＜ｈである。「９」のキーとＣキーとが縦方向に重なる長さについても同様である。したがって、ユーザが「６」のキー又は「９」のキーにタッチするときに、間違ってＣキーにタッチしてしまう可能性が低減される。この場合、Ｃキーは２つ数値キー（「６」のキー及び「９」のキー）に隣接するので、ｄ２＝ｈ／２であることが好ましい。また、Ｃキーの上下にはキーが配置されていないので、このことによっても、間違ってＣキーにタッチしてしまう可能性が低減される。
【００８０】
また、Ｃキーが、数値キーよりも大きい場合、図１５又は図１６のように配置してもよい。Ｃキーの横方向の長さは数値キーの横方向の長さｗと同じであるが、Ｃキーの縦方向の長さは数値キーの縦方向の長さｈよりも長い。図１５において、Ｃキーはテンキーに対して、図１２に類似して配置されている。Ｃキーは、テンキー領域２４８に隣接し、テンキー領域２４８の外に配置されている。Ｃキーの上側及び左側には、キーが隣接していない。即ち、Ｃキーの上側及び左側において、数値キーの大きさ以上の範囲でキーが配置されていない。また、Ｃキーは、「９」のキーに最も近接し、「９」のキーの右斜め下に配置されている。このように、Ｃキーがテンキーに対して配置されているので、ユーザがテンキーを操作しているときに間違ってＣキーにタッチしてしまう可能性は非常に低くなる。即ち、Ｃキーの上側領域及び左側領域にキーが配置されていないので、ユーザがテンキーの操作中にＣキーの上側領域又は左側領域をタッチする可能性は非常に低く、そのため間違ってＣキーにタッチしてしまう可能性も非常に低い。また、Ｃキーは「９」キーの右斜め下に位置するので、ユーザが「９」のキーにタッチしようとしてＣキーにタッチしてしまう可能性も非常に低くなる。
【００８１】
図１６において、Ｃキーの横方向の長さは、数値キーの横方向の長さｗと同じであるが、Ｃキーの縦方向の長さは数値キーの縦方向の長さｈよりも長い。Ｃキーは、最も近接する１つの数値キー（「９」のキー）に対して、テンキーの左右間隔ｐ１と同じ間隔で右側に配置されている。Ｃキーが隣接する数値キー（「９」のキー）と、上下方向に重なる長さｄ３は、図１４と同様に、数値キーの上下方向の長さｈ未満である（ｄ３＜ｈ）。したがって、ユーザが「９」のキーにタッチするときに、間違ってＣキーにタッチしてしまう可能性は低減される。
【００８２】
また、Ｃキーが、数値キーよりも大きい場合、図１７又は図１８のように配置してもよい。図１７においては、Ｃキーの縦方向の長さは、数値キーの縦方向の長さｈと同じであるが、Ｃキーの横方向の長さは数値キーの長さｗよりも長い。Ｃキーは、テンキー領域２４８に隣接して、一部がテンキー領域２４８の外に出るように配置されている。Ｃキーの左側には、キーが隣接していない。即ち、Ｃキーの上側及び左側において、数値キーの大きさ以上の範囲でキーが配置されていない。Ｃキーは、「９」のキーに最も近接し、「９」のキーの右斜め下に配置されている。Ｃキーと「９」のキーとの間隔は、テンキーの上下方向の間隔ｐ２と同じであるが、Ｃキーが隣接する数値キー（「９」のキー）と、左右方向に重なる長さｄ４は、数値キーの左右方向の長さｗ未満である（ｄ４＜ｗ）。このように、Ｃキーがテンキーに対して配置されているので、ユーザが「９」のキーにタッチするときに、間違ってＣキーにタッチしてしまう可能性は低減される。
【００８３】
図１８において、Ｃキーの縦方向の長さは、数値キーの縦方向の長さｈと同じであるが、Ｃキーの横方向の長さは数値キーの長さｗよりも長い。図１８においては、Ｃキーは、３つの数値キー（「０」、「８」及び「９」のキー）に近接するが、それらの何れとも、テンキーの左右間隔ｐ１及び上下間隔ｐ２以上離れて配置されている。したがって、Ｃキーは、その一部がテンキー領域２４８の外に出るように配置されている。Ｃキーと「０」のキーとの間隔ｄ５は水平間隔ｐ１よりも大きい（ｄ５＞ｐ１）。Ｃキーと「８」及び「９」のキーとの間隔ｄ６は上下間隔ｐ２よりも大きい（ｄ６＞ｐ２）。したがって、ユーザが「０」、「８」又は「９」のキーにタッチするときに、間違ってＣキーにタッチしてしまう可能性は低減される。
【００８４】
なお、Ｃキーは、図１９及び図２０に示したように、完全にテンキー領域２４８の外に配置されてもよい。図１９では、Ｃキーは、数値入力領域２４２の右下隅に位置している。図２０では、Ｃキーは、数値入力領域２４２の最下部であって、左右方向の中央に位置している。
【００８５】
また、Ｃキーが、数値キーと異なる形状の場合、図２１のように配置してもよい。図２１において、ＣキーはＬ字を左方向に９０度回転させた形状をしている。このＣキーは、例えば、図１２に示したＣキーにおいて、上辺部（長さｗ）を上に突出させ、左辺部（長さｈ）を左に突出させた形状である。このＣキーは、一部（左側の突出部）が、テンキー領域２４８内に位置し、それ以外の部分はテンキー領域２４８の外に位置する。Ｃキーの上側の突出部の上側、及び、左側の突出部の左側には、キーが隣接していない。即ち、Ｃキーの上側及び左側において、数値キーの大きさ以上の範囲でキーが配置されていない。Ｃキーは「９」のキーに最も近接し、「９」のキーの右斜め下に配置されている。Ｃキーが隣接する数値キー（「９」のキー）と、上下方向に重なる長さｄ７は、数値キーの上下方向の長さｈ未満（ｄ７＜ｈ）である。また、Ｃキーが隣接する数値キー（「９」のキー）と、左右方向に重なる長さｄ８は、数値キーの左右方向の長さｗ未満（ｄ８＜ｗ）である。したがって、ユーザが「９」のキーにタッチするときに、間違ってＣキーにタッチしてしまう可能性は低減される。
【００８６】
また、テンキーの配置は、図１２〜図２１に示した配置に限定されない。図２２に示したような配置であってもよい。図２２の（Ａ）及び（Ｂ）の何れの配置であっても、テンキー領域２４８に対して、図１２〜図１７、及び図１９〜図２１に示したようにＣキーを配置すれば、テンキーの操作時に間違ってＣキーがタッチされることを低減することができる。
【００８７】
また、図１２〜図２１に示した数値キー及びＣキーの外周の形状は、曲線部分よりも直線部分が多い形状であるが、これに限定されない。例えば、曲線部分を含まない形状であってもよく、より曲線部分が多い形状であってもよい。
【００８８】
また、テンキー領域内の１０個の数値キーの配置は任意である。例えば、コンピュータ用のキーボードに装備されるテンキーのような配置であってもよい。即ち、図１２において、「１」〜「３」のキーと「７」〜「９」のキーとが交換された配置であってもよい。
【００８９】
また、図１０に示したコピーモードの基本画面３００は、右手で操作する場合に適した画面であるが、左手で操作する場合には、図９の各領域及び図１０の画面上のキー配置を左右対称にして配置してもよい。即ち、機能選択領域２１０を、プレビュー領域２４０に対して右側に配置し、アクションパネル領域２６０を、プレビュー領域２４０に対して左側上部に配置し、タスクトリガー領域を、プレビュー領域２４０に対して左側下部に配置してもよい。その場合には、図１０〜図２１において、Ｃキーは、テンキー領域２４８の左側に配置するのが好ましい。一例として、図１２及び図２１に対応するキー配置を図２３の（Ａ）及び（Ｂ）に示す。
【００９０】
上記したように、ＣキーとＣキーに最も近接する数値キー（１つとは限らない）とが、上下方向及び左右方向に関して全く重ならないか、又は、重なる場合には、重なる長さが数値キーの大きさ（重なる方向の数値キーの長さ）よりも小さい、若しくは、ＣキーとＣキーに最も近接する数値キーとの間隔がテンキーの間隔よりも広ければ、数値キーにタッチするときに、間違ってＣキーにタッチしてしまう可能性を低減することができる。
【００９１】
また、上記の配置に加えて、Ｃキーの色をテンキーと異なる色にしてもよい。例えば、テンキーを、明度を有するが色を有しない無彩色（グレー）にし、Ｃキーを赤色、青色、黄色等の有彩色にしてもよい。これによって、ユーザがＣキーを視認し易くなり、ユーザが心理的にＣキー避ける（Ｃキーを押さないように注意する）ことが期待できるので、ユーザがテンキーの操作時に間違ってＣキーにタッチしてしまうことを、より確実に抑制することができる。
【００９２】
上記では、コピーモードの場合を説明したが、これに限定されない。数値入力領域が表示される画面であれば、テンキー領域に対して、上記と同様にＣキーを配置することによって、テンキー操作時に間違ってＣキーにタッチされることを抑制することができる。例えば、ファクスモードの基本画面においては、送信先のファクス番号を入力するために、数値入力領域が表示される。また、画像処理装置は、ファクス送信及び電子メール送信（スキャンｔｏメール）等の送信先、又は、画像送信モード（スキャンｔｏフォルダ）の保存先を予め登録しておき、呼出して利用する機能を備えている場合ある。登録情報は、所定の桁数（例えば４ケタ）の数値が割当てられて記憶されるので、登録情報を呼出すためには数値を入力する必要がある。したがって、登録情報を呼出すための番号を入力する場合に、画面に数値入力領域が表示される。また、ユーザ毎にパスワードが設定されていれば、パスワードを入力する場合に、画面に数値入力領域が表示される。このように、画像処理装置において、操作画面に数値入力領域が表示されることは多く、画像処理装置によっては、数十のシーンで操作部に数値入力領域が表示される。
【００９３】
また、図１０に示したコピーモードの基本画面３００では、数値入力領域が表示されているが、このような画面に限定されない。基本画面が最初に表示されるときには数値入力領域を含んでいなくてもよい。その場合には、例えば、数値入力領域を表示させるためのキーを機能設定領域に配置しておけば、ユーザがそのキーにタッチした場合に、数値入力領域を表示して数値入力を受付けることができる。
【００９４】
また、画像処理装置に限らず、タッチパネルディスプレイを備え、ソフトキーとしてテンキー及びＣキーを表示し、ユーザの操作を受付ける装置であれば、上記と同様にテンキー領域に対してＣキーを配置することによって、ユーザが誤ってＣキーにタッチしてしまうことを抑制することができる。
【００９５】
以上、実施の形態を説明することにより本発明を説明したが、上記した実施の形態は例示であって、本発明は上記した実施の形態に限定されるものではなく、種々変更して実施することができる。
【符号の説明】
【００９６】
１００    画像処理装置
１０２    制御部（ＣＰＵ）
１０４    ＲＯＭ
１０６    ＲＡＭ
１０８    ＨＤＤ
１１０    原稿読取部
１１２    ファクス通信部
１１４    ネットワークＩ／Ｆ
１１６    バス
１２０    画像形成部
１２２    画像処理部
１２４    画面生成部
１３０    操作部
１３２    タッチパネルディスプレイ
１３４    操作キー部
１４０    給紙部
１４２    手差し給紙トレイ
１５０    排紙処理部
１５２    排紙トレイ
１８０    公衆電話回線
１８２    ネットワーク
２４０    プレビュー領域
２４２    数値入力領域
２４４    キー領域
２４６    部数表示領域
２４８    テンキー領域
２５０    クリアキー（Ｃキー）
【図１】
0005977864.tif 000002
【図２】
0005977864.tif 000003
【図３】
0005977864.tif 000004
【図４】
0005977864.tif 000005
【図５】
0005977864.tif 000006
【図６】
0005977864.tif 000007
【図７】
0005977864.tif 000008
【図８】
0005977864.tif 000009
【図９】
0005977864.tif 000010
【図１０】
0005977864.tif 000011
【図１１】
0005977864.tif 000012
【図１２】
0005977864.tif 000013
【図１３】
0005977864.tif 000014
【図１４】
0005977864.tif 000015
【図１５】
0005977864.tif 000016
【図１６】
0005977864.tif 000017
【図１７】
0005977864.tif 000018
【図１８】
0005977864.tif 000019
【図１９】
0005977864.tif 000020
【図２０】
0005977864.tif 000021
【図２１】
0005977864.tif 000022
【図２２】
0005977864.tif 000023
【図２３】
0005977864.tif 000024